(57)【要約】  ワイヤレス通信のための方法、システム、およびデバイスが、説明される。デバイス・ツー・デバイス（Ｄ２Ｄ）通信は、モバイルデバイス間の通信を促進する中継器の使用から利益を享受し得る。中継器が電力網に接続される場合のような、電力制限（power-limited）されていない中継器は、通信媒体を継続してモニタし得る。中継器は、Ｄ２Ｄ通信をモニタし、通信を促進することを試みるためのＤ２Ｄペアを決定し得る。中継器は、第１のモバイルデバイスから第２のモバイルデバイスへの第１のメッセージを識別し得、第２のモバイルデバイスに第２のメッセージを送信し得る。第２のメッセージは、第１のメッセージと同じリソースを使用して送信され得、第１のメッセージの少なくとも一部を含み得る。中継器は、第２のモバイルデバイスからの応答を受信し得、モバイルデバイスのＤ２Ｄペアの間の通信を促進する前に、第２のデバイスにその中継器についての情報を送信し得る。
2018521540.tif 000002
【特許請求の範囲】
【請求項１】
ワイヤレス通信の方法であって、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別することと、
前記第１のメッセージの前記送信を識別すると、リソースの前記第１のセット上で前記第２のデバイスに第２のメッセージを送信することと、前記第２のメッセージは、前記第１のメッセージの少なくとも一部を備える、
前記第２のデバイスから前記第２のメッセージへの応答を受信することと、
を備える、方法。
【請求項２】
前記第２のデバイスに前記第１のメッセージを送信するために使用される電力レベルに等しい電力レベルで、前記第２のデバイスに前記第２のメッセージを送信すること、
をさらに備える、請求項１に記載の方法。
【請求項３】
前記第１のデバイスと前記第２のデバイスとの間の通信を促進すること、
をさらに備える、請求項１に記載の方法。
【請求項４】
通信を促進することは、
前記第１のデバイスから第３のメッセージを受信し、前記第２のデバイスに前記第３のメッセージを再送信することと、
前記第２のデバイスから第４のメッセージを受信し、前記第１のデバイスに前記第４のメッセージを再送信することと、
のうちの少なくとも１つを備える、請求項３に記載の方法。
【請求項５】
前記第１のデバイスと前記第２のデバイスとの間の通信を促進することは、前記中継デバイスによって開始される、請求項３に記載の方法。
【請求項６】
前記中継デバイスにおいて、複数のＤ２Ｄデバイスペアに関連付けられる複数のＤ２Ｄメッセージを識別することと、
前記第１のメッセージ、または前記複数のＤ２Ｄメッセージ、またはそれらの組み合わせに少なくとも部分的に基づいて、前記第１のデバイスと前記第２のデバイスとの間の通信を促進することを試みることと、
をさらに備える、請求項１に記載の方法。
【請求項７】
前記第２のデバイスに、前記中継デバイスに関連付けられる情報を送信することをさらに備え、前記情報は、前記中継デバイスの識別、または変調およびコーディングスキーム（ＭＣＳ）、またはそれらの組み合わせを備える、
請求項１に記載の方法。
【請求項８】
前記中継デバイスは、電力網に接続される、請求項１に記載の方法。
【請求項９】
Ｄ２Ｄ通信リンクは、前記第１のデバイスと前記第２のデバイスとの間に確立される、請求項１に記載の方法。
【請求項１０】
前記第１のメッセージは、送信要求（ＲＴＳ）メッセージである、請求項１に記載の方法。
【請求項１１】
前記応答は、送信可（ＣＴＳ）メッセージである、請求項１０に記載の方法。
【請求項１２】
前記応答は、確認応答（ＡＣＫ）である、請求項１に記載の方法。
【請求項１３】
リソースの前記第１のセットは、周波数チャネル、またはタイムスロット、またはコーディングレート、または変調およびコーディングスキーム（ＭＣＳ）、またはそれらの組み合わせを備える、請求項１に記載の方法。
【請求項１４】
ワイヤレス通信のための装置であって、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別するための手段と、
前記第１のメッセージの前記送信を識別すると、リソースの前記第１のセット上で前記第２のデバイスに第２のメッセージを送信するための手段と、前記第２のメッセージは、前記第１のメッセージの少なくとも一部を備える、
前記第２のデバイスから前記第２のメッセージへの応答を受信するための手段と、
を備える、装置。
【請求項１５】
前記第２のデバイスに前記第１のメッセージを送信するために使用される電力レベルに等しい電力レベルで、前記第２のデバイスに前記第２のメッセージを送信するための手段、
をさらに備える、請求項１４に記載の装置。
【請求項１６】
前記第１のデバイスと前記第２のデバイスとの間の通信を促進するための手段、
をさらに備える、請求項１４に記載の装置。
【請求項１７】
通信を促進するための前記手段は、
前記第１のデバイスから第３のメッセージを受信し、前記第２のデバイスに前記第３のメッセージを再送信するための手段と、
前記第２のデバイスから第４のメッセージを受信し、前記第１のデバイスに前記第４のメッセージを再送信するための手段と、
のうちの少なくとも１つを備える、請求項１６に記載の装置。
【請求項１８】
前記第１のデバイスと前記第２のデバイスとの間の通信を促進することは、前記中継デバイスによって開始される、請求項１６に記載の装置。
【請求項１９】
前記中継デバイスにおいて、複数のＤ２Ｄデバイスペアに関連付けられる複数のＤ２Ｄメッセージを識別するための手段と、
前記第１のメッセージ、または前記複数のＤ２Ｄメッセージ、またはそれらの組み合わせに少なくとも部分的に基づいて、前記第１のデバイスと前記第２のデバイスとの間の通信を促進することを試みるための手段と、
をさらに備える、請求項１４に記載の装置。
【請求項２０】
前記第２のデバイスに、前記中継デバイスに関連付けられる情報を送信するための手段を備え、前記情報は、前記中継デバイスの識別、または変調およびコーディングスキーム（ＭＣＳ）、またはそれらの組み合わせを備える、
請求項１４に記載の装置。
【請求項２１】
前記中継デバイスは、電力網に接続される、請求項１４に記載の装置。
【請求項２２】
Ｄ２Ｄ通信リンクは、前記第１のデバイスと前記第２のデバイスとの間に確立される、請求項１４に記載の装置。
【請求項２３】
前記第１のメッセージは、送信要求（ＲＴＳ）メッセージである、請求項１４に記載の装置。
【請求項２４】
前記応答は、送信可（ＣＴＳ）メッセージである、請求項２３に記載の装置。
【請求項２５】
前記応答は、確認応答（ＡＣＫ）である、請求項１４に記載の装置。
【請求項２６】
リソースの前記第１のセットは、周波数チャネル、またはタイムスロット、またはコーディングレート、または変調およびコーディングスキーム（ＭＣＳ）、またはそれらの組み合わせを備える、請求項１４に記載の装置。
【請求項２７】
ワイヤレス通信のための装置であって、
プロセッサと、
前記プロセッサと電子通信状態にあるメモリと、
前記メモリに記憶される命令であって、前記プロセッサによって実行されるとき、前記装置に、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別することと、
前記第１のメッセージの前記送信を識別すると、リソースの前記第１のセット上で前記第２のデバイスに第２のメッセージを送信することと、前記第２のメッセージは、前記第１のメッセージの少なくとも一部を備える、
前記第２のデバイスから前記第２のメッセージへの応答を受信することと、
を行わせるように動作可能である命令と、
を備える、装置。
【請求項２８】
前記命令は、前記装置に、
前記第２のデバイスに前記第１のメッセージを送信するために使用される電力レベルに等しい電力レベルで、前記第２のデバイスに前記第２のメッセージを送信すること
を行わせるように動作可能である、請求項２７に記載の装置。
【請求項２９】
前記命令は、前記装置に、
前記第１のデバイスと前記第２のデバイスとの間の通信を促進すること
を行わせるように動作可能である、請求項２７に記載の装置。
【請求項３０】
通信を促進することは、
前記第１のデバイスから第３のメッセージを受信し、前記第２のデバイスに前記第３のメッセージを再送信することと、
前記第２のデバイスから第４のメッセージを受信し、前記第１のデバイスに前記第４のメッセージを再送信することと、
のうちの少なくとも１つを備える、請求項２９に記載の装置。
【請求項３１】
前記第１のデバイスと前記第２のデバイスとの間の通信を促進することは、前記中継デバイスによって開始される、請求項２９に記載の装置。
【請求項３２】
前記命令は、前記装置に、
前記中継デバイスにおいて、複数のＤ２Ｄデバイスペアに関連付けられる複数のＤ２Ｄメッセージを識別することと、
前記第１のメッセージ、または前記複数のＤ２Ｄメッセージ、またはそれらの組み合わせに少なくとも部分的に基づいて、前記第１のデバイスと前記第２のデバイスとの間の通信を促進することを試みることと、
を行わせるように動作可能である、請求項２７に記載の装置。
【請求項３３】
前記命令は、前記装置に、
前記第２のデバイスに、前記中継デバイスに関連付けられる情報を送信すること、前記情報は、前記中継デバイスの識別、または変調およびコーディングスキーム（ＭＣＳ）、またはそれらの組み合わせを備える、
を行わせるように動作可能である、請求項２７に記載の装置。
【請求項３４】
前記中継デバイスは、電力網に接続される、請求項２７に記載の装置。
【請求項３５】
Ｄ２Ｄ通信リンクは、前記第１のデバイスと前記第２のデバイスとの間に確立される、請求項２７に記載の装置。
【請求項３６】
前記第１のメッセージは、送信要求（ＲＴＳ）メッセージである、請求項２７に記載の装置。
【請求項３７】
前記応答は、送信可（ＣＴＳ）メッセージである、請求項３６に記載の装置。
【請求項３８】
前記応答は、確認応答（ＡＣＫ）である、請求項２７に記載の装置。
【請求項３９】
リソースの前記第１のセットは、周波数チャネル、またはタイムスロット、またはコーディングレート、または変調およびコーディングスキーム（ＭＣＳ）、またはそれらの組み合わせを備える、請求項２７に記載の装置。
【請求項４０】
ワイヤレス通信のためのコードを記憶する非一時的なコンピュータ読み取り可能な媒体であって、前記コードは、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別することと、
前記第１のメッセージの前記送信を識別すると、リソースの前記第１のセット上で前記第２のデバイスに第２のメッセージを送信することと、前記第２のメッセージは、前記第１のメッセージの少なくとも一部を備える、
前記第２のデバイスから前記第２のメッセージへの応答を受信することと、
を行うように実行可能である命令を備える、非一時的なコンピュータ読み取り可能な媒体。
【発明の詳細な説明】
【相互参照】
【０００１】
[0001]  本特許出願は、２０１５年５月１１日に出願された、「Introduction of Powered Relay for Device-to-Device Communication」と題する、Ｂｏｄａｓ他による米国特許出願第１４／７０９，０６９号に対し優先権を主張し、本願の譲受人に譲渡される。
【技術分野】
【０００２】
[0002]  以下は一般的に、ワイヤレス通信に関し、より具体的には、デバイス・ツー・デバイス（device-to-device）（Ｄ２Ｄ：device-to-device）通信のためのパワード中継器（powered relay）の導入に関する。
【背景技術】
【０００３】
[0003]  ワイヤレス通信システムは、音声、ビデオ、パケットデータ、メッセージング、ブロードキャスト、等のような、様々なタイプの通信コンテンツを提供するために広く展開されている。これらのシステムは、利用可能なシステムリソース（例えば、時間、周波数、および電力）を共有することによって複数のユーザとの通信をサポートする能力があり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（例えば、ロングタームエボリューション（ＬＴＥ（登録商標））システム）を含む。ワイヤレス多元接続通信システムは、別名ユーザ機器（ＵＥ）として知られ得る、複数の通信デバイスのための通信を各々が同時にサポートする、多数の基地局を含み得る。ワイヤレス多元接続通信システムはまた、あるいは代替として、通信デバイスの間の（例えば、ＵＥの間の）Ｄ２Ｄ通信をサポートし得る。Ｄ２Ｄ通信は、通信デバイスの間で直接に（例えば、１つ以上の基地局を通る通信なしに、ＵＥの間で直接に）ワイヤレス通信と関与し得る。
【０００４】
[0004]  Ｄ２Ｄ通信は時々、１つ以上の仲介通信デバイス（intermediary communication devices）を通して（例えば、１つ以上の中継器を通して）中継され得る。中継器は、専用の中継デバイス（dedicated relay device）の形態をとり得る、あるいは基地局またはＵＥのような、別のデバイスの一部であり得る。中継器は、Ｄ２Ｄリンクの近くにたまたま存在するアイドル・モバイルデバイスであり得る。中継器のためのバッテリ電力を節約することは、望ましくあり得、２つの個別の時間期間、中継器選択期間（relay selection period）およびデータ通信期間、をもたらし得る。２つの時間期間は、周期的であり、次々に繰り返し得る。中継器選択期間のために使用される時間は、中継器候補（relay candidates）を決定することに関連付けられるオーバヘッドを低減させるために短くあり得る。さらに、中継器での電力消費を低減させるために、中継器選択期間は、まれに生じ得る。しかしながら、他の中継器と同じ電力要件に準拠する（adhere to）必要のない中継器との通信の方法を確立することが望まれ得る。
【発明の概要】
【０００５】
[0005]  デバイス・ツー・デバイス（Ｄ２Ｄ）通信のためのパワード中継器の導入のためのシステム、方法、および装置が、説明される。中継器は、Ｄ２Ｄデバイスペアのセットに関連付けられるＤ２Ｄメッセージのセットを識別し得る。中継器は、リソースの第１のセット上のＤ２Ｄ通信を使用して第２のデバイスに向けられる、第１のデバイスから送信される第１のメッセージを識別し得る。中継器は、第１のメッセージ、またはＤ２Ｄメッセージのセット、またはそれらの組み合わせに基づいて、第１のデバイスと第２のデバイスとの間の通信を促進する（facilitate）ことを試み得る。中継器は、第１のメッセージの送信を識別すると、リソースの第１のセット上で第２のデバイスに第２のメッセージを送信し得、第２のメッセージは、第１のメッセージの少なくとも一部を含み得る。中継器は、第２のデバイスから第２のメッセージへの応答を受信し得る。中継器は、第２のデバイスに、中継デバイスに関連付けられる情報を送信し得、この情報は、中継デバイスの識別、または変調およびコーディングスキーム（ＭＣＳ）、またはそれらの組み合わせを含み得る。中継器は、第１のデバイスと第２のデバイスとの間の通信をさらに促進し得る。
【０００６】
[0006]  ワイヤレス通信の方法が、説明される。方法は、中継デバイスにおいて、リソースの第１のセット上のＤ２Ｄ通信を使用して第２のデバイスに向けられる、第１のデバイスから送信される第１のメッセージを識別することと、第１のメッセージの送信を識別すると、リソースの第１のセット上で第２のデバイスに第２のメッセージを送信することと、第２のメッセージは、第１のメッセージの少なくとも一部を備え、第２のデバイスから第２のメッセージへの応答を受信することと、を含み得る。
【０００７】
[0007]  ワイヤレス通信のための装置が、説明される。装置は、中継デバイスにおいて、リソースの第１のセット上のＤ２Ｄ通信を使用して第２のデバイスに向けられる、第１のデバイスから送信される第１のメッセージを識別するための手段と、第１のメッセージの送信を識別すると、リソースの第１のセット上で第２のデバイスに第２のメッセージを送信するための手段と、第２のメッセージは、第１のメッセージの少なくとも一部を備え、第２のデバイスから第２のメッセージへの応答を受信するための手段と、を含み得る。
【０００８】
[0008]  ワイヤレス通信のためのさらなる装置が、説明される。装置は、プロセッサと、プロセッサと電子通信状態にあるメモリと、メモリに記憶される命令であって、プロセッサによって実行されるとき、装置に、中継デバイスにおいて、リソースの第１のセット上のＤ２Ｄ通信を使用して第２のデバイスに向けられる、第１のデバイスから送信される第１のメッセージを識別することと、第１のメッセージの送信を識別すると、リソースの第１のセット上で第２のデバイスに第２のメッセージを送信することと、第２のメッセージは、第１のメッセージの少なくとも一部を備え、第２のデバイスから第２のメッセージへの応答を受信することと、を行わせるように動作可能な命令と、を含み得る。
【０００９】
[0009]  ワイヤレス通信のためのコードを記憶する非一時的なコンピュータ読み取り可能な媒体が、説明される。コードは、中継デバイスにおいて、リソースの第１のセット上のＤ２Ｄ通信を使用して第２のデバイスに向けられる、第１のデバイスから送信される第１のメッセージを識別することと、第１のメッセージの送信を識別すると、リソースの第１のセット上で第２のデバイスに第２のメッセージを送信することと、第２のメッセージは、第１のメッセージの少なくとも一部を備え、第２のデバイスから第２のメッセージへの応答を受信することと、を行うように実行可能である命令を含み得る。
【００１０】
[0010]  本明細書に説明される方法、装置、または非一時的なコンピュータ読み取り可能な媒体のいくつかの例は、第２のデバイスに第１のメッセージを送信するために使用される電力レベルに等しい電力レベルで、第２のデバイスに第２のメッセージを送信するための処理、特徴、手段、または命令をさらに含み得る。追加として、または代替として、いくつかの例は、第１のデバイスと第２のデバイスとの間の通信を促進するための処理、特徴、手段、または命令を含み得る。
【００１１】
[0011]  本明細書に説明される方法、装置、または非一時的なコンピュータ読み取り可能な媒体のいくつかの例において、通信を促進することは、第１のデバイスから第３のメッセージを受信し、第２のデバイスに第３のメッセージを再送信することと、第２のデバイスから第４のメッセージを受信し、第１のデバイスに第４のメッセージを再送信することと、のうちの少なくとも１つを備える。追加として、または代替として、いくつかの例は、第１のデバイスと第２のデバイスとの間の通信を促進することが中継デバイスによって開始される（initiated）処理、特徴、手段、または命令を含み得る。
【００１２】
[0012]  本明細書に説明される方法、装置、または非一時的なコンピュータ読み取り可能な媒体のいくつかの例は、中継デバイスにおいて、複数のＤ２Ｄデバイスペアに関連付けられる複数のＤ２Ｄメッセージを識別することと、第１のメッセージ、または複数のＤ２Ｄメッセージ、またはそれらの組み合わせに少なくとも部分的に基づいて、第１のデバイスと第２のデバイスとの間の通信を促進することを試みることと、のための処理、特徴、手段、または命令をさらに含み得る。追加として、または代替として、いくつかの例は、第２のデバイスに、中継デバイスに関連付けられる情報を送信するための処理、特徴、手段、または命令を含み得、その情報は、中継デバイスの識別、または変調およびコーディングスキーム（ＭＣＳ）、またはそれらの組み合わせを備える。
【００１３】
[0013]  本明細書に説明される方法、装置、または非一時的なコンピュータ読み取り可能な媒体のいくつかの例において、中継デバイスは、電力網（power grid）に接続される。追加として、または代替として、いくつかの例において、Ｄ２Ｄ通信リンクは、第１のデバイスと第２のデバイスとの間に確立される。
【００１４】
[0014]  本明細書に説明される方法、装置、または非一時的なコンピュータ読み取り可能な媒体のいくつかの例において、第１のメッセージは、送信要求（request-to-send）（ＲＴＳ）メッセージである。追加として、または代替として、いくつかの例において、応答は、送信可（clear-to-send）（ＣＴＳ）メッセージである。
【００１５】
[0015]  本明細書に説明される方法、装置、または非一時的なコンピュータ読み取り可能な媒体のいくつかの例において、応答は、確認応答（acknowledgment）（ＡＣＫ）である。追加として、または代替として、いくつかの例において、リソースの第１のセットは、周波数チャネル、またはタイムスロット、またはコーディングレート、またはＭＣＳ、またはそれらの組み合わせを備える。
【図面の簡単な説明】
【００１６】
[0016]  本開示の態様は、以下の図に関連して説明される。
【図１】[0017]  図１は、本開示の様々な態様に従うデバイス・ツー・デバイス（Ｄ２Ｄ）通信のためのパワード中継器の導入をサポートするワイヤレス通信システムの例を例示する。
【図２】[0018]  図２は、本開示の様々な態様に従うＤ２Ｄ通信のためのパワード中継器の導入をサポートするワイヤレス通信サブシステムの例を例示する。
【図３】[0019]  図３は、本開示の様々な態様に従うＤ２Ｄ通信のためのパワード中継器の導入をサポートする処理フローの例を例示する。
【図４】[0020]  図４は、本開示の様々な態様に従うＤ２Ｄ通信のためのパワード中継器の導入をサポートするワイヤレスデバイスのブロック図を示す。
【図５】[0020]  図５は、本開示の様々な態様に従うＤ２Ｄ通信のためのパワード中継器の導入をサポートするワイヤレスデバイスのブロック図を示す。
【図６】[0020]  図６は、本開示の様々な態様に従うＤ２Ｄ通信のためのパワード中継器の導入をサポートするワイヤレスデバイスのブロック図を示す。
【図７】[0021]  図７は、本開示の様々な態様に従うＤ２Ｄ通信のためのパワード中継器の導入をサポートするユーザ機器（ＵＥ）を含むシステムのブロック図を例示する。
【図８】[0022]  図８は、本開示の様々な態様に従うＤ２Ｄ通信のためのパワード中継器の導入のための方法を例示する。
【図９】[0022]  図９は、本開示の様々な態様に従うＤ２Ｄ通信のためのパワード中継器の導入のための方法を例示する。
【図１０】[0022]  図１０は、本開示の様々な態様に従うＤ２Ｄ通信のためのパワード中継器の導入のための方法を例示する。
【図１１】[0022]  図１１は、本開示の様々な態様に従うＤ２Ｄ通信のためのパワード中継器の導入のための方法を例示する。
【詳細な説明】
【００１７】
[0023]  電力網接続（power-grid-connected）（ＰＧＣ）中継器のような、中継器は、バッテリで動作する中継器（battery operated relay）と同じ電力要件に準拠しない可能性がある。従って、中継器は、常にオンであり得、媒体を絶えずモニタし得る。媒体を絶えずモニタすることによって、中継器は、中継器選択期間のチャネル測定フェーズを低減させる、または取り除き得る。さらに、中継器選択期間 待つことよりはむしろ、任意の時点でデバイス・ツー・デバイス（Ｄ２Ｄ）通信リンクを強化する（enhance）ことが中継器に対して望まれ得る。中継器がそのようにすることが可能であるときはいつでも、Ｄ２Ｄ通信リンクを強化することによって、レイテンシは、大いに低減され得る。さらに、バッテリ式の中継器（battery powered relays）はＤ２Ｄ通信リンクを強化し得るが、バッテリ式の中継器は、潜在的にたくさんの中継器候補の電力消費を制限するために、Ｄ２Ｄリンクにおける送信機または受信機によって開始される（initiated）必要があり得る。
【００１８】
[0024]  ＰＧＣ中継器のような、中継器を使用するとき、中継器は、媒体を絶えずモニタし得るだけでなく、中継器は、バッテリ電力を損なうことなくＤ２Ｄリンクの強化を開始し得る。つまり、中継器は、中継機能（relay functionality）を開始することによってＤ２Ｄデバイスでの電力消費を低減し得る。中継器は、それの近くにおける通信をモニタし得る。例えば、中継器は、送信要求（ＲＴＳ）、送信可（ＣＴＳ）、確認応答（ＡＣＫ）、または否定応答（ＮＡＣＫ）メッセージをモニタし得る。通信をモニタすることによって、中継器は、それが通信を支援し得るＤ２Ｄペアを決定し得る。さらに、中継器の近くにおいて複数のＤ２Ｄペアが存在する場合、中継器は、どのＤ２Ｄペアがそれの支援から最も利益を享受し得るかを決定し得る。
【００１９】
[0025]  本開示の態様は、最初に、ワイヤレス通信システムのコンテキストにおいて説明される。次に、Ｄ２Ｄ通信について、特定の例が説明される。本開示のこれらのおよび他の態様はさらに、Ｄ２Ｄ通信のためのパワード中継器の導入に関する装置図、システム図、およびフローチャートによって例示され、およびそれらを参照して説明される。
【００２０】
[0026]  図１は、本開示の様々な態様に従うワイヤレス通信システム１００の例を例示する。ワイヤレス通信システム１００は、基地局１０５、ユーザ機器（ＵＥ）１１５、およびコアネットワーク１３０を含む。いくつかの例において、ワイヤレス通信システム１００は、ロングタームエボリューション（ＬＴＥ）／ＬＴＥアドバンスド（ＬＴＥ−ａ）ネットワークであり得る。
【００２１】
[0027]  基地局１０５は、１つ以上の基地局アンテナを介してＵＥ１１５とワイヤレスで通信し得る。各基地局１０５は、それぞれの地理的カバレッジエリア１１０に対して通信カバレッジを提供し得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は、固定式または移動式であり得る。ＵＥ１１５はまた、モバイル局、加入者局、遠隔ユニット、ワイヤレスデバイス、アクセス端末、ハンドセット、ユーザエージェント、クライアント、または何らかの他の適切な用語で称され得る。ＵＥ１１５はまた、セルラ電話、ワイヤレスモデム、ハンドヘルドデバイス、パーソナルコンピュータ、タブレット、パーソナル電子デバイス（personal electronic device）、マシンタイプ通信（ＭＴＣ：machine type communication）デバイス、または同様のものであり得る。
【００２２】
[0028]  基地局１０５は、コアネットワーク１３０と、ならびに互いに、通信し得る。例えば、基地局１０５は、バックホールリンク１３２（例えば、Ｓ１、等）を通してコアネットワーク１３０とインタフェースをとり得る。基地局１０５は、直接または（例えば、コアネットワーク１３０を通して）間接的のどちらかでバックホールリンク１３４（例えば、Ｘ２、等）にわたって互いに通信し得る。基地局１０５は、ＵＥ１１５との通信のための無線構成およびスケジューリングを行い得、または基地局コントローラ（示されていない）の制御下で動作し得る。いくつかの例において、基地局１０５は、マクロセル、スモールセル、ホットスポット、または同様のものであり得る。基地局１０５はまた、ｅノードＢ（ｅＮＢ）１０５と称され得る。
【００２３】
[0029]  ワイヤレス通信リンク１４５はまた、Ｄ２Ｄ通信として知られている構成において、ＵＥ１１５の間、およびＵＥ１１５と中継器１３５の間に確立され得る。２つのＵＥ１１５の間での直接のＤ２Ｄ通信（D2D communication directly）は、ワン−ホップＤ２Ｄ通信（one-hop D2D communication）と称され得る。中継器１３５を通す２つのＵＥ１１５の間でのＤ２Ｄ通信は、ツーホップＤ２Ｄ通信（two-hop D2D communication）と称され得る。いくつかの場合において、中継器１３５は、アイドルＵＥ１１５（または、そうでなければ中継器として働く（serve）ために、リソース、および容量を有するＵＥ１１５）であり得る。いくつかの場合において、中継器１３５は、スモールセルのような、基地局１０５であり得る。Ｄ２Ｄ通信を利用するグループのＵＥ１１５のうちの１つ以上は、セルのカバレッジエリア１１０内に存在し得る。そのようなグループにおける他のＵＥ１１５は、セルのカバレッジエリア１１０の外にあり、またはそうでなければ基地局１０５からの送信を受信することができない可能性がある。いくつかの場合において、Ｄ２Ｄ通信を介して通信するＵＥ１１５のグループは、各ＵＥ１１５がグループにおける他のすべてのＵＥ１１５に送信する１対多（one-to-many）（１：Ｍ）システムを利用し得る。いくつかの場合において、基地局１０５または中継器１３５は、Ｄ２Ｄ通信のためのリソースのスケジューリングを促進する。他の場合において、Ｄ２Ｄ通信は、基地局１０５または中継器１３５とは独立して（independent of）実行される。
【００２４】
[0030]  ＨＡＲＱは、データがワイヤレス通信リンク１２５にわたって正確に受信されることを確実にする方法であり得る。ハイブリッド自動再送要求（hybrid automatic repeat request）（ＨＡＲＱ）は、（例えば、巡回冗長検査（cyclic redundancy check）（ＣＲＣ）を使用する）誤り検出、前方向誤り訂正（forward error correction）（ＦＥＣ）、および再送信（例えば、自動再送要求（automatic repeat request）（ＡＲＱ））の組み合わせを含み得る。ＨＡＲＱは、劣悪な無線状態（poor radio conditions）（例えば、信号対雑音状態（signal-to-noise conditions））にある媒体アクセス制御（medium access control）（ＭＡＣ）レイヤでのスループットを改善し得る。インクレメンタル冗長ＨＡＲＱ（Incremental Redundancy HARQ）において、不正確に受信されたデータは、バッファに記憶され、データを成功裏に復号する全体的な可能性（overall likelihood）を改善するために後の送信と組み合わせられ得る。いくつかの場合において、冗長ビットが、送信より前に各メッセージに追加される。このことは、劣悪な状態で特に有益であり得る。他の場合において、冗長ビットは、各送信に追加されないが、元のメッセージ（original message）の送信機が、情報を復号するための失敗した試みを示すＮＡＣＫを受信した後、再送信される。一連の送信、応答、および再送信は、ＨＡＲＱ処理と称され得る。いくつかの場合において、限られた数のＨＡＲＱ処理が、所与の通信リンク１２５のために使用され得る。
【００２５】
[0031]  いくつかの場合において、ＵＥ１１５（または基地局１０５）は、中央基地局（central base station）１０５のカバレッジエリア１１０における他のＵＥ１１５によってではなく、中央基地局１０５によって検出可能であり得る。例えば、１つのＵＥ１１５は、中央基地局１０５のカバレッジエリアの一端で存在し得、一方で別のＵＥ１１５は、もう一方の端で存在し得る。よって、両方のＵＥ１１５は、基地局１０５と通信し得るが、他のものの送信を受信しない可能性がある。このことは、２つのＵＥ１１５が互いに重なり合って（on top of each other）送信することを控えない可能性があるため、コンテンションベースの環境（例えば、Ｄ２Ｄ通信）においてこれらＵＥ１１５のための衝突する送信をもたらし得る。それの送信が識別可能でないが、同じカバレッジエリア１１０内にあるＵＥ１１５は、隠れノードとして知られ得る。Ｄ２Ｄ環境は、送信ＵＥ（sending UE）１１５（または基地局１０５）によって送信されるＲＴＳパケット、および受信ＵＥ（receiving UE）１１５（または基地局１０５）によって送信されるＣＴＳパケットの交換によって補完され得る。このことは、プライマリ送信（primary transmission）の持続時間の間に送信しないことを、送り手および受け手（sender and receiver）の領域内の他のデバイスに警告し得る。よって、ＲＴＳ／ＣＴＳは、隠れノード問題を緩和するのを、または衝突を防ぐのを支援し得る。
【００２６】
[0032]  ２つのＵＥ１１５の間に中継器１３５を確立することは、有益であり得る。さらに、中継器１３５が関係を開始する場合、それは、ＵＥ１１５が電力を節約すること、またはより効率的に通信することを可能にし得るため（例えば、ＵＥが中継器１３５を見つけようとするのに費やす時間を低減し得るため）、役に立ち得る。従って、中継器１３５は、領域内の通信（例えば、ＵＥ１１５の間のＤ２Ｄ通信）、または中継器１３５によって検出可能な通信をモニタし得る。いくつかの場合において、中継器１３５は、多数のＤ２Ｄ  ＵＥ１１５ペアの間の通信をモニタし得る。中継器１３５は、通信を促進するためのＵＥ１１５ペアを決定し得る。いくつかの場合において、決定されたＵＥ１１５ペアは、ＮＡＣＫを交換しているＵＥ１１５のペア、または中継器１３５の導入が利益をもたらし得るＵＥ１１５のペアであり得る。中継器１３５は、中継器１３５が検出し得るＤ２Ｄ通信の間で、最も利益を享受し得るＵＥ１１５のペアの間の通信を促進することを決定し得る。中継器１３５は、ＵＥ１１５のペアの第２のＵＥ１１５への、ＵＥ１１５のペアの第１のＵＥ１１５からの第１の送信を検出し得、第１のＵＥ１１５からの第１の送信の情報のうちの少なくともいくつかを包含し得る、第２のＵＥ１１５へのメッセージを送信し得る。第２のＵＥ１１５は、第１の送信に応答して、応答を送信し得、それは、中継器１３５によって受信され得る。中継器１３５は、第２のＵＥ１１５に、中継器１３５に関連している情報を送信し得る。第２のＵＥ１１５は、第１のＵＥ１１５に、中継器１３５に関連している情報を送信し得る。第１のＵＥ１１５および第２のＵＥ１１５は、中継器１３５を通して、または使用して通信し得る。
【００２７】
[0033]  図２は、本開示の様々な態様に従うＤ２Ｄ通信のためのパワード中継器の導入のためのワイヤレス通信サブシステム２００の例を例示する。ワイヤレス通信サブシステム２００は、図１を参照して説明されたＵＥ１１５の例であり得るＵＥ１１５を含み得る。ワイヤレス通信サブシステム２００は、図１を参照して説明されたＵＥ１１５、基地局１０５、または中継器１３５の例であり得る中継器１３５−ａを含み得る。
【００２８】
[0034]  中継器１３５−ａは、ＵＥ１１５の間の通信１４５−ａをモニタし得る２０５。中継器１３５−ａは、ＰＧＣ中継器であり得、または寛大な電力制約（lenient power restrictions）を有し得る。例えば、中継器１３５−ａは、通信リンク１４５−ａを自由に、または絶えずモニタすることが可能であり得る。ＵＥ１１５は、別のＵＥ１１５との確立されたリンクを有し得、Ｄ２Ｄ通信を使用して通信している可能性がある。中継器１３５−ａは、中継器１３５−ａが検出することができる、または領域内に存在する、通信１４５−ａをモニタし得る２０５。いくつかの場合において、中継器１３５−ａは、いくつかの通信１４５−ａ、またはいくつかのリンクをモニタし得る２０５。中継器１３５−ａ、または別のネットワークデバイスは、通信を促進する、または支援することを試みるための、リンクを決定し得る。中継器１３５−ａは、単一のリンク、または複数のリンクを支援し得る。どのリンクを支援するかを決定することは、信号強度、交換されるメッセージ、または他の要因に基づき得る。例えば、中継器１３５−ａは、ＲＴＳ、ＣＴＳ、ＡＣＫ、およびＮＡＣＫメッセージをモニタし得る２０５。より多くのＮＡＣＫを持つリンクは、メッセージが必ずしもＵＥ１１５の間で適切に送信されるとは限らないため、支援することを試みるための理想的なリンクであり得る。
【００２９】
[0035]  中継器１３５−ａは、ＵＥ１１５−ｂとＵＥ１１５−ｃとの間のリンクを支援することを決定し得る。中継器１３５−ａは、ＵＥ１１５−ｂとＵＥ１１５−ｃとの間の通信１４５−ａをモニタし得る２０５。中継器１３５−ａは、第２のＵＥ１１５−ｃに向けられる、第１のＵＥ１１５−ｂから送信されるメッセージのような、メッセージを識別し得る。いくつかの場合において、メッセージは、ＲＴＳであり得る。中継器１３５−ａは、第２のＵＥ１１５−ｃにメッセージを送信し得る。いくつかの場合において、第２のＵＥ１１５−ｃに中継器１３５−ａから送信されるメッセージは、第１のＵＥ１１５−ｂから送信され第２のＵＥ１１５−ｃに向けられるメッセージの特徴（characteristics）、またはメッセージに包含される情報のうちのいくつかまたは全てを包含し得る。さらに、中継器１３５−ａから送信されるメッセージは、第１のＵＥ１１５−ｂから送信されるメッセージと同じリソースのセット（例えば、周波数チャネル、タイムスロット、コーディングレート、変調およびコーディングスキーム（ＭＣＳ）、等）上で送信され得る。例えば、中継器１３５−ａは、第２のＵＥ１１５−ｃにＲＴＳを送信し得る。いくつかの場合において、第２のＵＥ１１５−ｃに中継器１３５−ａから送信されるメッセージは、第２のＵＥ１１５−ｃに第１のＵＥ１１５−ｂからメッセージを送信するときに使用される電力に等しい、またはそれに類似している電力を使用して送信され得る。時には、第１のＵＥ１１５−ｂによって送信されるメッセージ、および中継器１３５−ａによって送信されるメッセージは、第２のＵＥ１１５−ｃによって、およそ同じ時間、または同様の時間で受信され得る。
【００３０】
[0036]  第２のＵＥ１１５−ｃは、応答を送信し得、それは、第１のＵＥ１１５−ｂから送信されるメッセージ、および中継器１３５−ａから送信されるメッセージのうちの少なくとも１つに応答し得る。中継器１３５−ａが第１のＵＥ１１５−ｂよりも第２のＵＥ１１５−ｃの近く位置する場合、中継器１３５−ａからのメッセージは、第１のＵＥ１１５−ｂからのメッセージより高い電力で第２のＵＥ１１５−ｃで受信され得る。時には、応答の電力は、逆電力エコーメカニズム（inverse power echo mechanism）に基づくように、（１つまたは複数の）受信されたメッセージの電力に反比例し得る。従って、第２のＵＥ１１５−ｃから送信される応答の電力は、中継器１３５−ａから受信されるメッセージの電力に基づき得る。応答は、中継器１３５−ａによって受信され得る。時には、第１のＵＥ１１５−ｂは、（例えば、より高い経路損失または不十分な送信電力のため）第２のＵＥ１１５−ｃから応答を受信しない可能性がある。応答は、ＣＴＳまたはＡＣＫを含み得る。応答が第１のＵＥ１１５−ｂで受信される場合、第１のＵＥ１１５−ｂおよび第２のＵＥ１１５−ｃは、中継器１３５−ａを使用しないような、Ｄ２Ｄ通信を続け得る。さらに、第１のＵＥ１１５−ｂも中継器１３５−ａも応答を受信しない場合、第１のＵＥ１１５−ｂおよび第２のＵＥ１１５−ｃは、中継器１３５−ａを使用しないような、Ｄ２Ｄ通信を続け得る。
【００３１】
[0037]  中継器１３５−ａが第２のＵＥ１１５−ｃから応答を受信する場合、中継器１３５−ａは、第２のＵＥ１１５−ｃで受信されるべきデータを送信し得る。データは、中継器の識別（例えば、１６ビット識別子、６４ビット識別子、等）、コーディングレート、ＭＣＳ、あるいは中継器１３５−ａまたは中継器１３５−ａの使用に関連付けられる他の情報のような、中継器１３５−ａまたは中継器１３５−ａの使用に関連付けられる情報を含み得る。データは、信頼性のある復号（reliable decoding）を可能にするために低いレート（例えば、１／１０またはそれより少ない）でコーディングされ得る。いくつかの場合において、第１のＵＥ１１５−ｂが第２のＵＥ１１５−ｃへの送信のために前に使用したのと同じＭＣＳを、中継器１３５−ａがデータの送信のために使用する場合、復号オーバヘッドは、低減され得る。
【００３２】
[0038]  第２のＵＥ１１５−ｃは、データが第１のＵＥ１１５−ｂまたは中継器１３５−ａから受信されたかどうかを検出し得る。データが中継器１３５−ａから第２のＵＥ１１５−ｃで適切に受信される場合、第２のＵＥ１１５−ｃは、データを検出し、受信を確認応答（例えば、中継器１３５−ａにＡＣＫを送信）し得る。そうでなければ、第２のＵＥ１１５−ｃは、中継器１３５−ａにＮＡＣＫを送信し得る、または第１のＵＥ１１５−ｂとの通常のＤ２Ｄ通信（normal D2D communications）を続け得る。ＡＣＫまたはＮＡＣＫは、第１のＵＥ１１５−ｂまたは中継器１３５−ａにそれが送信されるかどうかに依存するような、異なるビットパターンを有し得る。中継器１３５−ａが第２のＵＥ１１５−ｃのような、ＵＥ１１５からＡＣＫを受信するまで、上記に説明されたように、中継器１３５−ａは、第１のＵＥ１１５−ｂと第２のＵＥ１１５−ｃとの間、または他のＤ２Ｄペアの間の送信の部分を模倣し（mimic）続け得る。
【００３３】
[0039]  第２のＵＥ１１５−ｃは、第１のＵＥ１１５−ｂにメッセージを送信し得る。メッセージは、ＲＴＳであり得る。メッセージは、中継器１３５−ａを通して動作するためにＤ２Ｄペアに必要とされる情報のような、中継器１３５−ａに関連している情報をさらに含み得る。上記に説明されたように、情報は、中継器１３５−ａの識別、ＭＣＳ、等を含み得る。第２のＵＥ１１５−ｃから送信されるメッセージは、中継器１３５−ａの存在を第１のＵＥ１１５−ｂに知らせ得る。時には、より高いレイヤの認証（higher-layer authentication）が、行われ得、Ｄ２Ｄペアが中継器１３５−ａを使用して動作することを可能にする。
【００３４】
[0040]  中継器１３５−ａは、例えば、通信リンク１４５−ｂおよび通信リンク１４５−ｃを使用する等、第１のＵＥ１１５−ｂと第２のＵＥ１１５−ｃとの間の通信を促進し得る。通信を促進することは、第１のＵＥ１１５−ｂおよび第２のＵＥ１１５−ｃの両方と相互作用する中継器１３５−ａを含み得る。例えば、第１のＵＥ１１５−ｂは、中継器１３５−ａに、第２のＵＥ１１５−ｃに向けられる（intended for）メッセージを送信し得る。中継器１３５−ａは次に、第２のＵＥ１１５−ｃに第１のＵＥ１１５−ｂからのメッセージを送信し得る。さらに、第２のＵＥ１１５−ｃは、中継器１３５−ａに、第１のＵＥ１１５−ｂに向けられるメッセージを送信し得る。中継器１３５−ａは次に、第１のＵＥ１１５−ｂに第２のＵＥ１１５−ｃからのメッセージを送信し得る。
【００３５】
[0041]  中継器１３５−ａは、例えば同時にまたは続いて等、いくつかのＤ２Ｄペアのための通信を促進し得る。さらに、中継器１３５−ａは、あるＤ２Ｄリンクのための通信を促進する間他のＤ２Ｄリンク１４５−ａをモニタし続け得る。時には、中継器１３５−ａは、例えば、別のＤ２Ｄペアが、現在支援されているＤ２Ｄペアよりも多く、通信を促進する中継器１３５−ａから利益を享受し得ることが決定される場合等、その別のＤ２Ｄペアのために通信を促進することに移行し得る。いくつかの場合において、中継器１３５−ａは、基地局１０５、または別の中継器１３５と通信し得る。さらに、中継器１３５−ａは、基地局から取得された情報に基づいて、Ｄ２Ｄペアの間の通信を調整し得る。
【００３６】
[0042]  図３は、本開示の様々な態様に従うＤ２Ｄ通信のためのパワード中継器の導入のための処理フロー３００の例を例示する。処理フロー３００は、図１−２を参照して説明されたＵＥ１１５の例であり得る、ＵＥ１１５−ｄおよびＵＥ１１５−ｅを含み得る。処理フロー３００は、図１−２を参照して説明されたＵＥ１１５、基地局１０５、または中継器１３５の例であり得る、中継器１３５−ｂを含み得る。
【００３７】
[0043]  ブロック３０５で、Ｄ２Ｄ通信リンクは、第１のデバイス１１５−ｄと第２のデバイス１１５−ｅとの間に確立される。
【００３８】
[0044]  ブロック３１０で、第１のデバイス１１５−ｄは、第２のデバイス１１５−ｅに第１のメッセージを送信し得る。いくつかの例において、第１のメッセージは、ＲＴＳメッセージである。
【００３９】
[0045]  ブロック３１５で、中継器１３５−ｂは、中継デバイスにおいて、リソースの第１のセット上のＤ２Ｄ通信を使用して第２のデバイス１１５−ｅに向けられる、第１のデバイス１１５−ｄから送信される第１のメッセージを識別し得る。中継器１３５−ｂは、中継デバイスにおいて、Ｄ２Ｄデバイスペアのセットに関連付けられるＤ２Ｄメッセージのセットを識別し得る。中継器１３５−ｂは、第１のメッセージ、またはＤ２Ｄメッセージのセット、またはそれらの組み合わせに基づいて、第１のデバイス１１５−ｄと第２のデバイス１１５−ｅとの間の通信を促進することを試み得る。いくつかの例において、中継デバイス１３５−ｂは、電力網に接続される。いくつかの例において、リソースの第１のセットは、周波数チャネル、またはタイムスロット、またはコーディングレート、またはＭＣＳ、またはそれらの組み合わせを備える。
【００４０】
[0046]  ブロック３２０で、中継器１３５−ｂは、第１のメッセージの送信を識別すると、リソースの第１のセット上で第２のデバイス１１５−ｅに第２のメッセージを送信し得、第２のメッセージは、第１のメッセージの少なくとも一部を含む。中継器１３５−ｂは、第２のデバイス１１５−ｅに第１のメッセージを送信するために使用される電力レベルに等しくあり得る電力レベルで、第２のデバイス１１５−ｅに第２のメッセージを送信し得る。
【００４１】
[0047]  ブロック３２５で、中継器１３５−ｂは、第２のデバイス１１５−ｅから第２のメッセージへの応答を受信し得る。いくつかの例において、応答は、ＣＴＳメッセージである。いくつかの例において、応答は、ＡＣＫである。
【００４２】
[0048]  ブロック３３０で、中継器１３５−ｂは、第２のデバイス１１５−ｅに、中継デバイス１３５−ｂに関連付けられる情報を送信し得、情報は、中継デバイス１３５−ｂの識別、または変調およびコーディングスキーム（ＭＣＳ）、またはそれらの組み合わせを含む。
【００４３】
[0049]  ブロック３３５で、第２のデバイス１１５−ｅは、第１のデバイス１１５−ｄに、中継器１３５−ｂに関連付けられる情報を送信し得る。
【００４４】
[0050]  ブロック３４０で、中継器１３５−ｂは、第１のデバイス１１５−ｄと第２のデバイス１１５−ｅとの間の通信を促進し得る。いくつかの例において、通信を促進することは、第１のデバイス１１５−ｄから第３のメッセージを受信し、第２のデバイス１１５−ｅに第３のメッセージを再送信することと、第２のデバイス１１５−ｅから第４のメッセージを受信し、第１のデバイス１１５−ｄに第４のメッセージを再送信することと、のうちの少なくとも１つを備える。第１のデバイス１１５−ｄと第２のデバイス１１５−ｅとの間の通信を促進することは、中継デバイス１３５−ｂによって開始され得る。
【００４５】
[0051]  図４は、本開示の様々な態様に従うＤ２Ｄ通信のためのパワード中継器の導入のために構成されたワイヤレスデバイス４００のブロック図を示す。ワイヤレスデバイス４００は、図１−３を参照して説明されたＵＥ１１５、中継器１３５、または基地局１０５の態様の例であり得る。ワイヤレスデバイス４００は、受信機４０５、中継管理モジュール（relay management module）４１０、または送信機４１５を含み得る。ワイヤレスデバイス４００はまた、プロセッサを含み得る。これらコンポーネントの各々は、互いと通信状態にあり得る。
【００４６】
[0052]  受信機４０５は、パケット、ユーザデータ、または様々な情報チャネルに関連付けられる制御情報（例えば、Ｄ２Ｄ通信のためのパワード中継器の導入に関する情報、データチャネル、および制御チャネル、等）のような情報を受信し得る。情報は、中継管理モジュール４１０に、およびワイヤレスデバイス４００の他のコンポーネントに伝えられ（passed on）得る。
【００４７】
[0053]  中継管理モジュール４１０は、中継デバイスにおいて、リソースの第１のセット上のＤ２Ｄ通信を使用して第２のデバイスに向けられる、第１のデバイスから送信される第１のメッセージを識別し、第１のメッセージの送信を識別すると、リソースの第１のセット上で第２のデバイスに第２のメッセージを送信し、第２のメッセージは、第１のメッセージの少なくとも一部を備え、第２のデバイスから第２のメッセージへの応答を受信し得る。
【００４８】
[0054]  送信機４１５は、ワイヤレスデバイス４００の他のコンポーネントから受信される信号を送信し得る。いくつかの例において、送信機４１５は、トランシーバモジュールにおいて受信機４０５と共に配置され得る。送信機４１５は、単一のアンテナを含み得、またはそれは、複数のアンテナを含み得る。
【００４９】
[0055]  図５は、本開示の様々な態様に従うＤ２Ｄ通信のためのパワード中継器の導入のためのワイヤレスデバイス５００のブロック図を示す。ワイヤレスデバイス５００は、図１−４を参照して説明されたワイヤレスデバイス４００、ＵＥ１１５、中継器１３５、または基地局１０５の態様の例であり得る。ワイヤレスデバイス５００は、受信機４０５−ａ、中継管理モジュール４１０−ａ、または送信機４１５−ａを含み得る。ワイヤレスデバイス５００はまた、プロセッサを含み得る。これらコンポーネントの各々は、互いと通信状態にあり得る。中継管理モジュール４１０−ａはまた、リンク識別モジュール５０５および中継開始モジュール５１０を含み得る。
【００５０】
[0056]  受信機４０５−ａは、中継管理モジュール４１０−ａに、およびワイヤレスデバイス５００の他のコンポーネントに伝えられ得る情報を受信し得る。中継管理モジュール４１０−ａは、図４を参照して説明された動作を行い得る。送信機４１５−ａは、ワイヤレスデバイス５００の他のコンポーネントから受信される信号を送信し得る。
【００５１】
[0057]  リンク識別モジュール５０５は、図２−３を参照して説明されたように、中継デバイスにおいて、リソースの第１のセット上のＤ２Ｄ通信を使用して第２のデバイスに向けられる、第１のデバイスから送信される第１のメッセージを識別し得る。リンク識別モジュール５０５はまた、中継デバイスにおいて、複数のＤ２Ｄデバイスペアに関連付けられる複数のＤ２Ｄメッセージを識別し得る。いくつかの例において、Ｄ２Ｄ通信リンクは、第１のデバイスと第２のデバイスとの間で確立され得る。いくつかの例において、第１のメッセージは、ＲＴＳメッセージであり得る。
【００５２】
[0058]  中継開始モジュール５１０は、図２−３を参照して説明されたように、第１のメッセージの送信を識別すると、リソースの第１のセット上で第２のデバイスに第２のメッセージを送信し得、第２のメッセージは、第１のメッセージの少なくとも一部を備える。中継開始モジュール５１０はまた、第２のデバイスから第２のメッセージへの応答を受信し得る。中継開始モジュール５１０はまた、第２のデバイスに第１のメッセージを送信するために使用される電力レベルに等しい電力レベルで、第２のデバイスに第２のメッセージを送信し得る。中継開始モジュール５１０はまた、第２のデバイスに、中継デバイスに関連付けられる情報を送信し得、情報は、中継デバイスの識別、またはＭＣＳ、またはそれらの組み合わせを備える。いくつかの例において、中継デバイスは、電力網に接続され得る。いくつかの例において、応答は、ＣＴＳメッセージであり得る。いくつかの例において、応答は、ＡＣＫであり得る。いくつかの例において、リソースの第１のセットは、周波数チャネル、またはタイムスロット、またはコーディングレート、またはＭＣＳ、またはそれらの組み合わせを備える。
【００５３】
[0059]  図６は、本開示の様々な態様に従うＤ２Ｄ通信のためのパワード中継器の導入のためのワイヤレスデバイス４００またはワイヤレスデバイス５００のコンポーネントであり得る中継管理モジュール４１０−ｂのブロック図６００を示す。中継管理モジュール４１０−ｂは、図４−５を参照して説明された中継管理モジュール４１０の態様の例であり得る。中継管理モジュール４１０−ｂは、リンク識別モジュール５０５−ａおよび中継開始モジュール５１０−ａを含み得る。これらモジュールの各々は、図５を参照して説明された機能を行い得る。中継管理モジュール４１０−ｂはまた、通信促進モジュール（communication facilitation module）６０５およびリンク選択モジュール６１０を含み得る。
【００５４】
[0060]  通信促進モジュール６０５は、図２−３を参照して説明されたように、第１のデバイスと第２のデバイスとの間の通信を促進し得る。いくつかの例において、通信を促進することは、第１のデバイスから第３のメッセージを受信することと、第２のデバイスに第３のメッセージを再送信することとのうちの少なくとも１つを備える。通信促進モジュール６０５はまた、第２のデバイスから第４のメッセージを受信し得、第１のデバイスに第４のメッセージを再送信する。通信促進モジュール６０５はまた、中継デバイスによって開始される、第１のデバイスと第２のデバイスとの間の通信を促進し得る。
【００５５】
[0061]  リンク選択モジュール６１０は、図２−３を参照して説明されたように、第１のメッセージ、または複数のＤ２Ｄメッセージ、またはそれらの組み合わせに少なくとも部分的に基づいて、第１のデバイスと第２のデバイスとの間の通信を促進することを試み得る。
【００５６】
[0062]  図７は、本開示の様々な態様に従うＤ２Ｄ通信のためのパワード中継器の導入のために構成された中継器１３５を含むシステム７００の図を示す。システム７００は、図１−６を参照して説明されたワイヤレスデバイス４００、ワイヤレスデバイス５００、ＵＥ１１５、中継器１３５、または基地局１０５の例であり得る、中継器１３５−ｂを含み得る。中継器１３５−ｂは、図４−６を参照して説明された中継管理モジュール４１０の例であり得る、中継管理モジュール７１０を含み得る。中継器１３５−ｂはまた、通信を送信するためのコンポーネント、および通信を受信するためのコンポーネントを含む双方向の音声およびデータ通信のためのコンポーネントを含み得る。例えば、中継器１３５−ｂは、基地局１０５−ａまたはＵＥ１１５−ｆと双方向に通信し得る。
【００５７】
[0063]  中継器１３５−ｂはまた、プロセッサ７０５、および（ソフトウェア（ＳＷ）を含む）７２０メモリ７１５、トランシーバ７３５、および１つ以上の（１つまたは複数の）アンテナ７４０を含み得、それらの各々は、（例えば、バス７４５を介して）互いに、直接または間接的に、通信し得る。トランシーバ７３５は、上記に説明されたように、（１つまたは複数の）アンテナ７４０あるいはワイヤードまたはワイヤレスリンクを介して、１つ以上のネットワークと双方向に通信し得る。例えば、トランシーバ７３５は、基地局１０５またはＵＥ１１５と双方向に通信し得る。トランシーバ７３５は、パケットを変調し、送信のために（１つまたは複数の）アンテナ７４０に変調されたパケットを提供するための、および（１つまたは複数の）アンテナ７４０から受信されるパケットを復調するための、モデムを含み得る。中継器１３５−ｂが、単一のアンテナ７４０を含み得る一方、中継器１３５−ｂはまた、複数のワイヤレス送信を同時に送信するまたは受信する能力がある複数のアンテナ７４０を有し得る。
【００５８】
[0064]  メモリ７１５は、ランダムアクセスメモリ（ＲＡＭ）および読み取り専用メモリ（ＲＯＭ）を含み得る。メモリ７１５は、実行されるとき、プロセッサ７０５に、本明細書に説明された様々な機能（例えば、Ｄ２Ｄ通信のためのパワード中継器の導入、等）を行わせる命令を含む、コンピュータ読み取り可能な、コンピュータ実行可能なソフトウェア／ファームウェアコード７２０を記憶し得る。代替として、ソフトウェア／ファームウェアコード７２０は、プロセッサ７０５によって直接実行可能ではないが、（例えば、コンパイルされ、実行されるとき）コンピュータに、本明細書に説明された機能を行わせ得る。プロセッサ７０５は、インテリジェントハードウェアデバイス（例えば、中央処理ユニット（ＣＰＵ）、マイクロコントローラ、特定用途向け集積回路（ＡＳＩＣ）、等）を含み得る。
【００５９】
[0065]  ワイヤレスデバイス４００、ワイヤレスデバイス５００、中継管理モジュール４１０、および中継管理モジュール７１０のコンポーネントは、個々にまたは集合的に、ハードウェアにおける適用可能な機能のうちのいくつかまたは全てを行うように適合された少なくとも１つのＡＳＩＣでインプリメントされ得る。代替として、機能は、少なくとも１つのＩＣ上で、１つ以上の他の処理ユニット（またはコア）によって行われ得る。他の例において、他のタイプの集積回路（例えば、構造化（structured）／プラットフォームＡＳＩＣ、フィールドプログラマブルゲートアレイ（ＦＰＧＡ）、または別のセミ・カスタムＩＣ（Semi-Custom IC））が使用され得、これらは、当該技術分野において知られている任意の方法でプログラムされ得る。各ユニットの機能はまた、全体的にまたは部分的に、メモリ内に具現化される命令でインプリメントされ、１つ以上の汎用または特定用途向けのプロセッサによって実行されるようにフォーマットされ得る。
【００６０】
[0066]  図８は、本開示の様々な態様に従うＤ２Ｄ通信のためのパワード中継器の導入のための方法８００を例示するフローチャートを示す。方法８００の動作は、図１−７を参照して説明されたように、中継器１３５またはそれのコンポーネントによってインプリメントされ得る。例えば、方法８００の動作は、図４−７を参照して説明されたように、中継管理モジュール４１０によって行われ得る。いくつかの例において、中継器１３５は、以下に説明される機能を行うために中継器１３５の機能エレメント（functional elements）を制御するためのコードのセットを実行し得る。追加として、または代替として、中継器１３５は、特殊目的のハードウェアを使用して以下に説明される機能態様（aspects the functions）を行い得る。
【００６１】
[0067]  ブロック８０５で、中継器１３５は、図２−３を参照して説明されたように、中継デバイスにおいて、リソースの第１のセット上のＤ２Ｄ通信を使用して第２のデバイスに向けられる、第１のデバイスから送信される第１のメッセージを識別し得る。ある特定の例において、ブロック８０５の動作は、図５および６を参照して説明されたように、リンク識別モジュール５０５によって行われ得る。
【００６２】
[0068]  ブロック８１０で、中継器１３５は、図２−３を参照して説明されたように、第１のメッセージの送信を識別すると、リソースの第１のセット上で第２のデバイスに第２のメッセージを送信し得、第２のメッセージは、第１のメッセージの少なくとも一部を備える。ある特定の例において、ブロック８１０の動作は、図５および６を参照して説明されたように、中継開始モジュール５１０によって行われ得る。
【００６３】
[0069]  ブロック８１５で、中継器１３５は、図２−３を参照して説明されたように、第２のデバイスから第２のメッセージへの応答を受信し得る。ある特定の例において、ブロック８１５の動作は、図５および６を参照して説明されたように、中継開始モジュール５１０によって行われ得る。
【００６４】
[0070]  図９は、本開示の様々な態様に従うＤ２Ｄ通信のためのパワード中継器の導入のための方法９００を例示するフローチャートを示す。方法９００の動作は、図１−７を参照して説明されたように、中継器１３５またはそれのコンポーネントによってインプリメントされ得る。例えば、方法９００の動作は、図４−７を参照して説明されたように、中継管理モジュール４１０によって行われ得る。いくつかの例において、中継器１３５は、以下に説明される機能を行うために中継器１３５の機能エレメントを制御するためのコードのセットを実行し得る。追加として、または代替として、中継器１３５は、特殊目的のハードウェアを使用して以下に説明される機能態様を行い得る。方法９００はまた、図８の方法８００の態様を組み込み得る。
【００６５】
[0071]  ブロック９０５で、中継器１３５は、図２−３を参照して説明されたように、中継デバイスにおいて、リソースの第１のセット上のＤ２Ｄ通信を使用して第２のデバイスに向けられる、第１のデバイスから送信される第１のメッセージを識別し得る。ある特定の例において、ブロック９０５の動作は、図５および６を参照して説明されたように、リンク識別モジュール５０５によって行われ得る。
【００６６】
[0072]  ブロック９１０で、中継器１３５は、図２−３を参照して説明されたように、第１のメッセージの送信を識別すると、リソースの第１のセット上で第２のデバイスに第２のメッセージを送信し得、第２のメッセージは、第１のメッセージの少なくとも一部を備える。ある特定の例において、ブロック９１０の動作は、図５および６を参照して説明されたように、中継開始モジュール５１０によって行われ得る。
【００６７】
[0073]  ブロック９１５で、中継器１３５は、図２−３を参照して説明されたように、第２のデバイスから第２のメッセージへの応答を受信し得る。ある特定の例において、ブロック９１５の動作は、図５および６を参照して説明されたように、中継開始モジュール５１０によって行われ得る。
【００６８】
[0074]  ブロック９２０で、中継器１３５は、図２−３を参照して説明されたように、第１のデバイスと第２のデバイスとの間の通信を促進し得る。ある特定の例において、ブロック９２０の動作は、図６を参照して説明されたように、通信促進モジュール６０５によって行われ得る。
【００６９】
[0075]  図１０は、本開示の様々な態様に従うＤ２Ｄ通信のためのパワード中継器の導入のための方法１０００を例示するフローチャートを示す。方法１０００の動作は、図１−７を参照して説明されたように、中継器１３５またはそれのコンポーネントによってインプリメントされ得る。例えば、方法１０００の動作は、図４−７を参照して説明されたように、中継管理モジュール４１０によって行われ得る。いくつかの例において、中継器１３５は、以下に説明される機能を行うために中継器１３５の機能エレメントを制御するためのコードのセットを実行し得る。追加として、または代替として、中継器１３５は、特殊目的のハードウェアを使用して以下に説明される機能態様を行い得る。方法１０００はまた、図８−９の方法８００、および９００の態様を組み込み得る。
【００７０】
[0076]  ブロック１００５で、中継器１３５は、図２−３を参照して説明されたように、中継デバイスにおいて、複数のＤ２Ｄデバイスペアに関連付けられる複数のＤ２Ｄメッセージを識別し得る。ある特定の例において、ブロック１００５の動作は、図５および６を参照して説明されたように、リンク識別モジュール５０５によって行われ得る。
【００７１】
[0077]  ブロック１０１０で、中継器１３５は、図２−３を参照して説明されたように、中継デバイスにおいて、リソースの第１のセット上のＤ２Ｄ通信を使用して第２のデバイスに向けられる、第１のデバイスから送信される第１のメッセージを識別し得る。ある特定の例において、ブロック１０１０の動作は、図５および６を参照して説明されたように、リンク識別モジュール５０５によって行われ得る。
【００７２】
[0078]  ブロック１０１５で、中継器１３５は、図２−３を参照して説明されたように、第１のメッセージ、または複数のＤ２Ｄメッセージ、またはそれらの組み合わせに少なくとも部分的に基づいて、第１のデバイスと第２のデバイスとの間の通信を促進することを試み得る。ある特定の例において、ブロック１０１５の動作は、図６を参照して説明されたように、リンク選択モジュール６１０によって行われ得る。
【００７３】
[0079]  ブロック１０２０で、中継器１３５は、図２−３を参照して説明されたように、第１のメッセージの送信を識別すると、リソースの第１のセット上で第２のデバイスに第２のメッセージを送信し得、第２のメッセージは、第１のメッセージの少なくとも一部を備える。ある特定の例において、ブロック１０２０の動作は、図５および６を参照して説明されたように、中継開始モジュール５１０によって行われ得る。
【００７４】
[0080]  ブロック１０２５で、中継器１３５は、図２−３を参照して説明されたように、第２のデバイスから第２のメッセージへの応答を受信し得る。ある特定の例において、ブロック１０２５の動作は、図５および６を参照して説明されたように、中継開始モジュール５１０によって行われ得る。
【００７５】
[0081]  図１１は、本開示の様々な態様に従うＤ２Ｄ通信のためのパワード中継器の導入のための方法１１００を例示するフローチャートを示す。方法１１００の動作は、図１−７を参照して説明されたように、中継器１３５またはそれのコンポーネントによってインプリメントされ得る。例えば、方法１１００の動作は、図４−７を参照して説明されたように、中継管理モジュール４１０によって行われ得る。いくつかの例において、中継器１３５は、以下に説明される機能を行うために中継器１３５の機能エレメントを制御するためのコードのセットを実行し得る。追加として、または代替として、中継器１３５は、特殊目的のハードウェアを使用して以下に説明される機能態様を行い得る。方法１１００はまた、図８−１０の方法８００、９００、および１０００の態様を組み込み得る。
【００７６】
[0082]  ブロック１１０５で、中継器１３５は、図２−３を参照して説明されたように、中継デバイスにおいて、リソースの第１のセット上のＤ２Ｄ通信を使用して第２のデバイスに向けられる、第１のデバイスから送信される第１のメッセージを識別し得る。ある特定の例において、ブロック１１０５の動作は、図５および６を参照して説明されたように、リンク識別モジュール５０５によって行われ得る。
【００７７】
[0083]  ブロック１１１０で、中継器１３５は、図２−３を参照して説明されたように、第１のメッセージの送信を識別すると、リソースの第１のセット上で第２のデバイスに第２のメッセージを送信し得、第２のメッセージは、第１のメッセージの少なくとも一部を備える。ある特定の例において、ブロック１１１０の動作は、図５および６を参照して説明されたように、中継開始モジュール５１０によって行われ得る。
【００７８】
[0084]  ブロック１１１５で、中継器１３５は、図２−３を参照して説明されたように、第２のデバイスから第２のメッセージへの応答を受信し得る。ある特定の例において、ブロック１１１５の動作は、図５および６を参照して説明されたように、中継開始モジュール５１０によって行われ得る。
【００７９】
[0085]  ブロック１１２０で、中継器１３５は、図２−３を参照して説明されたように、第２のデバイスに、中継デバイスに関連付けられる情報を送信し得、情報は、中継デバイスの識別、またはＭＣＳ、またはそれらの組み合わせを備える。ある特定の例において、ブロック１１２０の動作は、図５および６を参照して説明されたように、中継開始モジュール５１０によって行われ得る。
【００８０】
[0086]  よって、方法８００、９００、１０００、および１１００は、Ｄ２Ｄ通信のためのパワード中継器の導入を提供し得る。方法８００、９００、１０００、および１１００は、可能性のあるインプリメンテーションを説明し、動作およびステップは、他のインプリメンテーションが可能であるように、再配置またはそうでなければ修正され得ることに留意されるべきである。いくつかの例において、方法８００、９００、１０００、および１１００のうちの２つ以上からの態様は、組み合わされ得る。
【００８１】
[0087]  本明細書の説明は、例を提供するものであり、特許請求の範囲において説明される範囲、適用性、または例を限定するものではない。本開示の範囲から逸脱することなく、説明される要素の機能および配置において変更がなされ得る。様々な例は、様々な手順またはコンポーネントを必要に応じて省略、置換、または追加し得る。さらに、いくつかの例に関して説明された特徴は、他の例において組み合わせられ得る。
【００８２】
[0088]  本明細書に説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムのために使用され得る。「システム」および「ネットワーク」という用語は、しばしば交換可能に使用される。符号分割多元接続（ＣＤＭＡ）システムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリース０およびＡは一般的に、ＣＤＭＡ２０００  １Ｘ、１Ｘ、等と称される。ＩＳ−８５６（ＴＩＡ−８５６）は一般的に、ＣＤＭＡ２０００  １ｘＥＶ−ＤＯ、高レートパケットデータ（ＨＲＰＤ）、等と称される。ＵＴＲＡは、広帯域ＣＤＭＡ（ＷＣＤＭＡ（登録商標））およびＣＤＭＡの他の変形を含む。時分割多元接続（ＴＤＭＡ）システムは、モバイルコ通信のためのグローバルシステム（ＧＳＭ（登録商標））のような、無線技術をインプリメントし得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡ、等のような無線技術をインプリメントし得る。ＵＴＲＡおよびＥ−ＵＴＲＡは、ユニバーサル・モバイル通信システム（ＵＭＴＳ）の一部である。３ＧＰＰ（登録商標）ロングタームエボリューション（ＬＴＥ）およびロングタームエボリューション（ＬＴＥ）アドバンスト（ＬＴＥ−ａ）は、Ｅ−ＵＴＲＡを使用するユニバーサル・モバイル通信システム（ＵＭＴＳ）の最新リリースである。ＵＴＲＡ、Ｅ−ＵＴＲＡ、ユニバーサル・モバイル通信システム（ＵＭＴＳ）、ＬＴＥ、ＬＴＥ−ａ、およびモバイル通信のためのグローバルシステム（ＧＳＭ）は、「第３世代パートナーシッププロジェクト」（３ＧＰＰ）と呼ばれる団体からの文書に説明されている。ＣＤＭＡ２０００およびＵＭＢは、「第３世代パートナーシッププロジェクト２」（３ＧＰＰ２）と呼ばれる団体からの文書に説明されている。本明細書に説明された技法は、上述されたシステムおよび無線技術にも、他のシステムおよび無線技術にも使用され得る。しかしながら、本明細書の説明は、例の目的でＬＴＥシステムを説明しており、ＬＴＥ用語が、上述の説明のほとんどで使用されるが、この技法はＬＴＥ適用の範囲を超えて適用可能である。
【００８３】
[0089]  本明細書に説明されたそのようなネットワークを含む、ＬＴＥ／ＬＴＥ−ａネットワークにおいて、発展型ノードＢ（ｅＮＢ）という用語は一般的に、基地局を説明するために使用され得る。ワイヤレス通信システムまたは本明細書に説明されたシステムは、発展型ノードＢ（ｅＮＢ）の異なるタイプが様々な地理的領域に対してカバレッジを提供する異機種のＬＴＥ／ＬＴＥ−ａネットワーク（heterogeneous LTE/LTE-a network）を含み得る。例えば、各ｅＮＢまたは基地局は、マクロセル、スモールセル、または他のタイプのセルに対して通信カバレッジを提供し得る。「セル」という用語は、コンテキストに依存して、基地局、基地局に関連付けられるキャリアまたはコンポーネントキャリア、あるいはキャリアまたは基地局のカバレッジエリア（例えば、セクタ、等）を説明するために使用されることができる３ＧＰＰ用語である。
【００８４】
[0090]  基地局は、当業者によって、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で称され得る、あるいはそれらを含み得る。基地局のための地理的カバレッジエリアは、カバレッジエリアの一部のみを構成するセクタに分けられ得る。ワイヤレス通信システムまたは本明細書に説明されたシステムは、異なるタイプの基地局（例えば、マクロまたはスモールセル基地局）を含み得る。本明細書に説明されたＵＥは、マクロｅＮＢ、スモールセルｅＮＢ、中継基地局、および同様のものを含む様々なタイプの基地局およびネットワーク機器と通信することが可能であり得る。異なる技術のためにオーバーラップしている地理的カバレッジエリアが存在し得る。
【００８５】
[0091]  マクロセルは一般的に、比較的広い地理的エリア（例えば、半径数キロメートル）をカバーし、ネットワークプロバイダにサービス加入しているＵＥによる制限されていないアクセスを可能にし得る。スモールセルは、マクロセルと比較して、より低い電力の基地局（lower-powered base station）であり、マクロセルと同じまたは異なる（例えば、ライセンスされた、ライセンスされていない、等）周波数帯域において動作し得る。スモールセルは、様々な例に従う、ピコセル、フェムトセル、およびマクロセルを含み得る。ピコセルは、例えば、狭い地理的エリアをカバーし得、ネットワークプロバイダにサービス加入しているＵＥによる制限されていないアクセスを可能にし得る。フェムトセルもまた、狭い地理的エリア（例えば、家（home））をカバーし得、フェムトセルとの関連付けを有するＵＥ（例えば、クローズド加入者グループ（ＣＳＧ）におけるＵＥ、家におけるユーザのためのＵＥ、および同様のもの）による制限されたアクセスを提供し得る。マクロセルのためのｅＮＢは、マクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つまたは複数の（例えば、２つ、３つ、４つ、等の）セル（例えば、コンポーネントキャリア）をサポートし得る。ＵＥは、マクロｅＮＢ、スモールセルｅＮＢ、中継基地局、および同様のものを含む、様々なタイプの基地局ならびにネットワーク機器と通信することが可能であり得る。
【００８６】
[0092]  ワイヤレス通信システムまたは本明細書に説明されたシステムは、同期または非同期動作をサポートし得る。同期動作の場合、基地局は、同様のフレームタイミングを有し得、異なる基地局からの送信は、時間において近似的にアラインされ（aligned）得る。非同期動作の場合、基地局は、異なるフレームタイミングを有し得、異なる基地局からの送信は時間においてアラインされない可能性がある。本明細書に説明された技法は、同期または非同期動作のいずれかのために使用され得る。
【００８７】
[0093]  本明細書に説明されたダウンリンク送信は、順方向リンク送信とも呼ばれ得、一方アップリンク送信は、逆方向リンク送信とも呼ばれ得る。本明細書に説明された各通信リンク−例えば、図１および２のワイヤレス通信システム１００および２００を含む―は、１つ以上のキャリアを含み得、ここで、各キャリアは、複数のサブキャリア（例えば、異なる周波数の波形信号）で構成されている信号であり得る。各変調された信号は、異なるサブキャリア上で送られ得、制御情報（例えば、基準信号、制御チャネル、等）、オーバヘッド情報、ユーザデータ、等を搬送し得る。本明細書に説明された通信リンク（例えば、図１の通信リンク１２５またはＤ２Ｄリンク１４５）は、（例えば、ペアのスペクトルリソース（paired spectrum resources）を使用して）周波数分割複信（ＦＤＤ）、または（例えば、ペアになっていないスペクトルリソースを使用して）時分割複信（ＴＤＤ）動作を使用して双方向通信を送信し得る。フレーム構造は、周波数分割複信（ＦＤＤ）（例えば、フレーム構造タイプ１）およびＴＤＤ（例えば、フレーム構造タイプ２）について定義され得る。
【００８８】
[0094]  添付図面に関連して本明細書に記載された説明は、例示的な構成を説明するものであり、インプリメントされ得る、または特許請求の範囲内にある全ての例を表すとは限らない。本明細書に使用される用語「例証的（exemplary）」は、「好ましい」あるいは「他の例よりも有利である」ということではなく、「例、実例、あるいは例示として役立つこと」を意味する。詳細な説明は、説明された技法の理解を提供する目的で、特定の詳細を含む。しかしながら、これらの技法は、これら特定の詳細なしに実施され得る。いくつかの実例において、周知の構造およびデバイスは、説明された例の概念を曖昧にすることを回避するためにブロック図形式で示される。
【００８９】
[0095]  添付の図面において、類似のコンポーネントまたは特徴は、同じ参照ラベルを有し得る。さらに、同じタイプの様々なコンポーネントは、参照ラベルに、ダッシュと、類似のコンポーネントを区別する第２のラベルとが続くことによって区別され得る。本明細書で第１の参照ラベルのみが使用されている場合、本説明は、第２の参照ラベルに関わらず、同じ第１の参照ラベルを有する類似のコンポーネントのうちのいずれか１つに適用可能である。
【００９０】
[0096]  本明細書に説明された情報および信号は、様々な異なる技術および技法のうちのいずれかを使用して表され得る。例えば、上記の説明を通して参照され得るデータ、命令、コマンド、情報、信号、ビット、シンボル、およびチップは、電圧、電流、電磁波、磁界あるいは磁気粒子、光学界または光学粒子、あるいはそれらの任意の組み合わせによって表わされ得る。
【００９１】
[0097]  本明細書における開示に関連して説明された様々な例示的なブロックおよびモジュールは、本明細書で説明された機能を行うように設計された、汎用プロセッサ、デジタル信号プロセッサ（ＤＳＰ）、ＡＳＩＣ、ＦＰＧＡまたは他のプログラマブル論理デバイス、ディスクリートゲートまたはトランジスタ論理、ディスクリートハードウェアコンポーネント、またはそれらの任意の組み合わせを用いて、インプリメントまたは行われ得る。汎用プロセッサは、マイクロプロセッサであり得るが、代替として、プロセッサは、任意の従来のプロセッサ、コントローラ、マイクロコントローラ、またはステートマシンであり得る。プロセッサはまた、コンピューティングデバイスの組み合わせ（例えば、デジタルシグナルプロセッサ（ＤＳＰ）とマイクロプロセッサの組み合わせ、複数のマイクロプロセッサ、ＤＳＰコアと連結した１つ以上のマイクロプロセッサ、または任意の他のそのような構成）としてインプリメントされ得る。
【００９２】
[0098]  本明細書に説明された機能は、ハードウェア、プロセッサによって実行されるソフトウェア、ファームウェア、またはそれらの任意の組み合わせでインプリメントされ得る。プロセッサによって実行されるソフトウェアでインプリメントされる場合、機能は、コンピュータ読み取り可能な媒体上で１つ以上の命令またはコードとして記憶または送信され得る。他の例およびインプリメンテーションは、本開示および添付の特許請求の範囲内である。例えば、ソフトウェアの本質により、上記に説明された機能は、プロセッサによって実行されるソフトウェア、ハードウェア、ファームウェア、ハードワイヤリング、またはこれらのうちのいずれかの組み合わせを使用してインプリメントされることができる。機能をインプリメントする特徴はまた、様々な位置において物理的に配置され得、それは、機能の部分が、異なる物理的な位置でインプリメントされるように分配されることを含む。また、特許請求の範囲を含む、本明細書で使用される場合、項目のリスト（例えば、「のうちの少なくとも１つ」または「のうちの１つ以上」のような表現で始まる項目のリスト）で使用される「または（or）」は、例えば、Ａ、Ｂ、またはＣのうちの少なくとも１つのリストが、Ａ、またはＢ、またはＣ、またはＡＢ、またはＡＣ、またはＢＣ、またはＡＢＣ（すなわち、ＡおよびＢおよびＣ）を意味するよう包括的なリスト（inclusive list）を示す。
【００９３】
[0099]  コンピュータ読み取り可能な媒体は、１つの場所から別の場所へのコンピュータプログラムの転送を促進する任意の媒体を含む通信媒体、および非一時的なコンピュータ記憶媒体の両方を含む。非一時的な記憶媒体は、汎用または特殊目的のコンピュータによってアクセスされることができる任意の利用可能な媒体であり得る。限定ではなく例として、非一時的なコンピュータ読み取り可能な媒体は、ＲＡＭ、ＲＯＭ、電気的に消去可能なプログラマブル読み取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用または特殊目的のコンピュータ、あるいは汎用または特殊目的のプロセッサによってアクセスされることができる、任意の他の非一時的な媒体を備えることができる。また、任意の接続は、厳密にはコンピュータ読み取り可能な媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバーケーブル、ツイストペア、デジタル加入者回線（ＤＳＬ）、または赤外線、無線、およびマイクロ波のようなワイヤレス技術は、媒体の定義に含まれる。本明細書で使用される場合、ディスク（Disk）およびディスク（disc）は、ＣＤ、レーザーディスク（登録商標）、光ディスク、デジタル多目的ディスク（ＤＶＤ）、フロッピー（登録商標）ディスク、およびブルーレイディスクを含み、ここでディスク（disks）は通常、磁気的にデータを再生し、一方ディスク（discs）は、レーザーを用いて光学的にデータを再生する。上記の組み合わせはまた、コンピュータ読み取り可能な媒体の範囲内に含まれる。
【００９４】
[0100]  本開示の説明は、当業者が本開示を製造または使用することを可能にするために提供される。本開示への様々な修正は、当業者にとって容易に明らかであり、本明細書に定義された一般的な原理は、本開示の範囲から逸脱することなく、他のバリエーションに適用され得る。よって、本開示は、本明細書に説明された例および設計に限定されるべきではなく、本明細書に開示された原理および新規の特徴と一致する最も広い範囲が付与されるべきである。
【図１】
2018521540.tif 000003
【図２】
2018521540.tif 000004
【図３】
2018521540.tif 000005
【図４】
2018521540.tif 000006
【図５】
2018521540.tif 000007
【図６】
2018521540.tif 000008
【図７】
2018521540.tif 000009
【図８】
2018521540.tif 000010
【図９】
2018521540.tif 000011
【図１０】
2018521540.tif 000012
【図１１】
2018521540.tif 000013
【国際調査報告】
2018521540.tif 000014
2018521540.tif 000015